(57)【要約】【課題】電子のラブと陽子のラブの回転方向が逆であるのはどうしてか。ダークマターが原子の361倍であるのはどうしてか。【解決手段】電子のラブが複数個の塊である素粒子は存在しない。この事は、電子のラブと陽子のラブとの間には何も存在しなかった事を意味する。また、ビッグバンがおきた事は、陽子のラブが集団に成っていた事を意味する。陽子のラブの集団の中心が収縮し、爆発した。その痕に宇宙の中心になるブラックホールができた事を示す。陽子のラブの集団が電子のラブの軌道を作った。電子のラブは自転し、この軌道を回転していた。1834個の塊に成り陽子のラブに成った時、陽子のラブの回転はこの軌道の回転になった。陽子のラブの自転軌道は電子のラブの自転軌道と90度変化し、更に陽子ラブの集団の中を回転し、180度変化した。ダークマターが原子の361倍であるのは、ビッグバンで陽子のラブが球状に走り、平面の軌道にたどり着き原子になる確率は1/360であったからです。【選択図】図1
2013187957.tif 000002
【特許請求の範囲】
【請求項１】
電子のラブの公転軌道が陽子のラブの自転軌道に成った。
この事の計算。
電子のラブの公転軌道エネルギー＝電子のラブのエネルギー×公転軌道×3.14＝8.187×10−14J×1.058×10−10m×3.14＝2.72×10−23Jm。
陽子のラブの自転軌道エネルギー＝陽子のラブのエネルギー×自転軌道×1公転の自転数＝1.5×10−10J×4.18×10−18m×4.34×104自転＝2.7×10−23Jm。
よって、電子のラブの公転軌道エネルギーは陽子のラブの自転軌道エネルギーになっている。
【請求項２】
星の中で元素ができる場合、核融合によって、中性子のラブができる。核融合ができる場より高エネルギーの場では、陽子のラブは存在できない。よって、元素は存在できない。核融合ができる場より高エネルギーの場では、中性子のラブより存在できない。核融合ができる場より高エネルギーの場では、中央に成る程、高エネルギー、高引力、高圧になり、中性子のラブはより多く集合し、中性子のラブの塊を作る。4個の塊、6個の塊、8個の塊、10個の塊、12個の塊、14個の塊、16個の塊、18個の塊、20個の塊、…100個の塊、…200個の塊を作る。
【請求項３】
超新星爆発で、外に飛び出した時、中性子のラブの塊の内、半分の中性子のラブは崩壊し、陽子のラブと電子のラブになり、元素になる。
【請求項４】
しかし、ビッグバンの以前、電子のラブと陽子のラブが生成するとき、電子のラブの塊は存在しない。2個の電子のラブの塊、4個の電子のラブの塊、…100個の電子のラブの塊、…1000個の電子のラブの塊、…1500個の電子のラブの塊は存在しない。必ず1834個の電子のラブの塊である陽子が存在する。
【請求項５】
この事は、電子のラブができた場と陽子のラブができた場の間には、何も存在しなかった事を示す。
電子ができた場と陽子のラブができた場は、まるで地球と太陽のように成っていた。又は、小惑星と太陽のように成っていた。とにかく、中央には軌道を作る中心になる物が存在していた。エネルギーの場は2段階に分かれていた。1段階は電子のラブのエネルギーの軌道です。2段階は中心の陽子のラブのエネルギーの場です。
【請求項６】
もし、電子のラブが地球のようにまとまっていたとしたら、中央の圧力は強くなり、爆発するかもしれません。また中央に成る程高エネルギーの場に成り、電子のラブがいくつも集まり、電子のラブの塊を作るかも知れません。そうすると、爆発したとき、複数個の電子のラブの塊でエネルギーの異なる素粒子ができるでしょう。しかし、複数個の電子のラブの塊でエネルギーの異なる素粒子は存在しません。
これらの事から、電子のラブは地球のようにまとまっていなかった。
【請求項７】
電子のラブは地球のようにまとまっておらず、個々に存在していた。
【請求項８】
つまり、陽子のラブが存在する軌道と電子のラブが存在する軌道は定められていた。
【請求項９】
しかし、ここでまた問題提起されます。それは、ビッグバンの爆発はどうしておきたか、です。
ビッグバンは陽子のラブの集団の爆発によっておきた。
【請求項１０】
それであるから、陽子のラブの集団は太陽のように中央にまとまって存在した。
【請求項１１】
そして更に問題提起されます。ビッグバンの痕にできた宇宙の中心のブラックホールはどのようにできたか、です。
まるで、太陽が、太陽の親である第１世代の星が超新星爆発しその痕にできた中性子星を中心にできたように、ビッグバンの痕にできた宇宙の中心のブラックホールは、陽子のラブの集団が爆発した(ビッグバン)痕にできた。
【請求項１２】
陽子のラブの集団の中心は高エネルギーで、収縮された状態になっていたので、ブラックホールに成りやすかった。または、すでにブラックホールはできていた。
2.631×1013太陽質量のブラックホールができた。2.631×1013太陽質量のブラックホールの陽子のラブの数は3.152×1070個です。
【請求項１３】
2.631×1013太陽質量のブラックホールを作るためには、2.488×1019太陽質量が必要です。これが全体の質量です。全体質量の原子数は2.981×1076個です。
【請求項１４】
陽子の集団が爆発したとき、陽子のラブは飛び散り、電子の軌道に存在していた電子のラブと衝突し、原子を作った。
原子は爆発した陽子のラブと電子のラブが衝突してできた。A=1.221×1013の場でできた。
【請求項１５】
ビッグバンの以前の電子のラブのエネルギーが１Jの場合、ビッグバンの原子数は1.0765×1079個です。そして、ブラックホールを作った全体の質量の原子数は2.981×1076個です。
ビッグバンの以前の原子数は全体の原子数の361倍です。これがダークマターになった。
【請求項１６】
ブラックホールはどのようにできたか。
陽子のラブの集団に、1.0765×1079個の陽子のラブが存在した。電子のラブの軌道にも1.0765×1079個の電子のラブが存在した。
この構造は、陽子のラブの集団の大きさは、7.836×10−11mです。電子のラブの軌道大きさは7.193×10−8mです。(これは電子のラブが球体の場合のサイズです。)
陽子のラブの集団の中心は高エネルギー(高引力)に成り、収縮した。そして、爆発した。中心の痕に、収縮した陽子のラブが残った。
中心の痕に残った収縮した陽子のラブはブラックホールになった。ブラックホールの陽子のラブの数は3.152×1070個です。
陽子のラブの集団の数の、1.0765×1079個÷(3.152×1070個)＝3.415×108、3.415×108分の1です。
陽子のラブの集団の数の3.415×108分の1の陽子のラブが宇宙の中心のブラックホールになりました。
中心のブラックホールを作る全体の質量は、2.488×1019太陽質量で、2.981×1076個の原子です。この原子ができた時、ブラックホールもできあがりました。
【請求項１７】
原子はどのようにできたか。
ビッグバンの以前の構造は、陽子のラブの集団の大きさは7.836×10−11mです。電子のラブの軌道は7.193×10−8mです。
陽子のラブの集団が爆発し、陽子のラブは飛び散りました。すぐ近くに電子のラブは存在します。この場の陽子のラブの秒速はいくらか。
陽子のラブの秒速＝陽子のラブの自転軌道×1秒間の自転数＝2.620×10−37m×7.96×107×(4.34×104)2＝3.928×10−20m。
この場の陽子のラブの秒速は3.928×10−20mです。この理由はその場の引力が大きいからです。
陽子のラブが電子のラブの軌道まで走ってゆくためには、何秒かかるか。
7.193×10−8m÷(3.928×10−20m)＝1.831×1012(秒)  これは何年か。1.831×1012(秒)÷(365×24×60×60秒)＝1.831×1012(秒)÷(3.154×107秒)＝5.8×105年
陽子のラブが電子のラブの軌道まで走ってゆくためには5.8×105年かかる。
全体の質量である2.981×1076個の原子はできた。
【請求項１８】
ダークマターはどのようにできたか。
私は、特願2007−133476で、「ダークマターは、−273℃の場に存在し、公転できず、自転だけしている電子のラブと陽子のラブです」と記した。
初め、電子のラブと陽子のラブの数は、1.0765×1079個でした。陽子のラブの集団の数、1.0765×1079個のうち、中心の3.152×1070個は収縮し、宇宙の中心のブラックホールになりました。
そして、その外側の陽子のラブは爆発し、電子のラブの軌道にたどり着き、原子を作りました。できた全体の原子の数は、2.981×1076個です。この全体の原子の数が宇宙の中心にブラックホールを作りました。
原子になれなかった、電子のラブと陽子のラブは、−273℃の場に存在し、公転できず、自転だけしている電子のラブと陽子のラブです。
その数は、1.0765×1079個÷(2.981×1076)＝361(倍)、です。
ダークマターは、原子になれなかった、自転している電子のラブと自転している陽子のラブで、原子として存在しているものの361倍です。
【請求項１９】
どうしてダークマターは原子として存在しているものの361倍に成ったか。
電子のラブの軌道はまるで、太陽が作る惑星の軌道のように平面上に存在していた。それで、電子のラブの存在する軌道も平面上に存在していた。即ち、球体が360の平面でできているとすると、360分の1の空間に存在していた。それで、陽子のラブが走ってきた時、陽子のラブが電子のラブと出会う確率は360分の1になる。そのため、原子ができる確率も360分の1になる。
この事は、電子のラブは、陽子のラブの集団が作る軌道上に存在し、その軌道は平面上であった事を示す。
【請求項２０】
電子のラブの回転と陽子のラブの回転が逆であるのはなぜか。
電子のラブは自転だけしていた。その自転を縦下回転とする。そして、電子のラブの軌道を回転していた。電子のラブの軌道を横左回転とする。電子のラブが1834個集まった時、回転として表れているのは、軌道を回転していた横左回転でした。これが陽子の自転になった。陽子のラブの自転は横左回転になった。陽子のラブの自転の方向は、電子のラブの自転の方向と90度変わった。そして更に、陽子のラブは陽子のラブの集団の中で回転した。この回転を横回転とする。それで、陽子のラブの自転は更に90度回転方向を変えた。この事によって、陽子のラブの自転の方向は、電子のラブの自転の方向と180度変わった。陽子のラブの集団の中で横回転は横右回転になった。
【発明の詳細な説明】
【技術分野】
【０００１】
本発明は、どうして電子の回転方向と陽子の回転方向は逆であるのか。その研究から、電子と陽子が生成するとき、どのような状態であることが必要条件であったかに関するものである。
ビッグバンの爆発はどうしておきたか。ブラックホールはどうしてできたか。原子はどうしてできたか。ダークマターはどうしてできたか。電子と陽子の回転方向が逆になった理由に関するものある。
【背景技術】
【０００２】
私は、電子の中に非常に小さい物が存在する。その名を電子のラブと名付けた。陽子の中に非常に小さい物が存在する。その名を陽子のラブと名付けた。電子のラブの質量は9.1095×10−31ｇで、陽子のラブの質量は1.67265×10−27ｇです。
私は、電子と陽子の生成について、生成する場のエネルギーについて考えてきた。元素は、星の中でどのようにできるかも考えてきた。
【先行技術文献】
【非特許文献】
【０００３】
【特許文献１】特願2007−133476
【特許文献２】特願2010−195029
【特許文献３】特願2010−210141
【特許文献４】特願2010−224430
【特許文献５】特願2010−229174
【特許文献６】特願2010−240127
【特許文献７】特願2010−248846
【特許文献８】特願2010−269415
【特許文献９】特願2011−114246
【特許文献１０】特願2011−151316
【特許文献１１】特願2011−130790
【特許文献１２】特願2011−139785
【発明の概要】
【発明が解決しようとする課題】
【０００４】
どうして電子のラブの回転方向と陽子のラブの回転方向は逆なのか。
ビッグバンの以前、電子のラブが生成した場の1834倍のエネルギーの場で陽子のラブはできます。
星の中で元素ができる、と考えられているが、星の中では、中性子のラブ(＝陽子のラブ＋電子のラブ)ができ、中性子のラブの塊ができるのであって、元素ができるのではない。星の中央に進むにつれて、中性子のラブの塊の数が多くなる。中性子のラブ4個の塊、中性子のラブ6個の塊、中性子のラブ8個の塊、中性子のラブ10個の塊、…中性子のラブ50個の塊、…中性子のラブ100個の塊、…中性子のラブ200個の塊となる。
元素ができるのは、星が超新星爆発を起こした後である。中性子のラブの塊の約1/2が陽子と電子に成り、元素を作る。
しかし、電子のラブの生成と陽子のラブの生成の場合、電子のラブが2個集まって、何かの素粒子になる事もなく、電子のラブが100個集まって何かの素粒子になる事もない。必ず1834個集まって、陽子になる。どうしてか。そこには何かの設定があったのではないだろうか。太陽の位置と、地球の軌道が決められていたように、陽子ができるエネルギー場の位置と、電子ができる軌道は予め決められていたのではないだろうか。
【課題を解決するための手段】
【０００５】
電子のラブの回転方向と陽子のラブの回転方向は逆である理由はなぜか。
計算によると、電子のラブの公転軌道エネルギーが陽子のラブの自転軌道エネルギーになっている。
電子の回転方向と陽子の回転方向は逆である理由は、電子のラブの公転方向が陽子の自転方向になったからであると考える。
しかし、電子のラブができた時、電子のラブは自転だけであった。公転はしていない。それなのにどうして、電子のラブの公転軌道エネルギーが陽子のラブの自転軌道エネルギーに成ったのであろうか。
電子のラブの回転方向が陽子のラブの自転方向になったからであると考える事ができる。電子のラブは公転していない。しかし、電子のラブは軌道を回転していた。
ここに必要な条件は、電子のラブは軌道上を回転していた事であり、軌道を作る物が中央に存在していた事です。
中央は陽子のラブができる場です。電子のラブができる場の1834倍のエネルギーの場です。
はたして、本当に中央に、電子のラブができる場の1834倍のエネルギーの場は存在したのでしょうか。
この事を、星の中で元素ができる状態と比較して考える。
【発明の効果】
【０００６】
次の事が理解できた。
・星の中で核融合によって、中性子のラブの塊ができる。これが、星が爆発した後、元素になる。
・ビッグバンの以前、電子のラブの塊はできなかった。なぜなら、電子のラブが複数個の塊でできた素粒子は存在しないからです。
・このことは、電子のラブと陽子のラブの間には何も存在しなかった事を示している。
・エネルギーの層は2段階に分かれていた。
・1段階は、電子のラブが存在する層であり、2段階は陽子のラブが存在する層です。
・ビッグバンの痕に宇宙の中心のブラックホールができた事を考えると、陽子のラブは集団になっていた。
・陽子のラブは太陽のように中央に存在した。そして、軌道を作っていた。電子のラブはその軌道を回転していた。
・ビッグバンの爆発は、陽子のラブの集団が爆発したものです。
・宇宙の中心のブラックホールはビッグバンの痕にできたものです。
・宇宙の中心のブラックホールは陽子のラブの集団によってできた。
・原子は、ビッグバンで走ってきた陽子のラブが、電子のラブの軌道に存在した電子のラブと衝突してできた。
・ダークマターは原子になれなかった電子のラブと陽子のラブが−273度の中で、自転だけしているものです。
・ダークマターの数は原子に成ったものの数の361倍です。
・.ダークマターは原子に成ったものの361倍に成った理由は、電子のラブは、陽子のラブの集団が作る軌道に存在し、その軌道は平面上に敷かれていた。球体を360個の平面から成っているとする。陽子のラブは球体状に走ったが、電子のラブは、球体の360分の1の平面により存在しないので、陽子のラブが電子のラブに出会う確率は1/360です。この事により、原子になれなかった陽子のラブと電子のラブは361倍になります。
・ダークマターとは、原子になれなかった電子のラブと陽子のラブです。
・ダークマターとは、ビッグバンの以前、電子のラブと陽子のラブができた時、自転だけしていた電子のラブと陽子のラブです。
・ダークマターとは、ビッグバンの以前から自転だけをしている電子のラブと陽子のラブです。
・ダークマターが原子の数の361倍であるのは、電子のラブは平面軌道上に存在していた証拠です。
・ビッグバンとは、電子のラブと陽子のラブが原子を作り、体積を拡大させたのでできたのではない。
・陽子のラブが作ったブラックホールの陽子のラブの数は3×1070個です。これは最初に存在した陽子のラブの約3×108分の1です。
・このブラックホールは全体の原子数が3×1076個でできた。
・ダークマターは、最初に存在した電子のラブと陽子のラブの個数で、約1079個です。
・原子に成ったのは、最初に存在した電子のラブと陽子のラブの361分の1です。
・原子が361分の1よりできなかった。この事は、電子のラブは平面の軌道に存在したためです。電子のラブは球状に存在しなかった事を示しています。
・電子のラブは球体に成り存在しなかった。そのため、電子のラブが複数個の質量を持つ素粒子は存在しない。
・電子のラブの回転と陽子のラブの回転が逆である理由は、ビッグバンの以前、電子のラブは自転だけしていた。公転はしていなかった。しかし、軌道上を回転していた、この軌道上の回転が、1834個の電子のラブが塊に成り、陽子のラブに成ったとき、陽子のラブの自転になった。それで、陽子のラブの自転は電子のラブの自転と90度変化した。陽子のラブは陽子のラブの集団の中を回転をするとき、自転方向を90度変えた。この事によって、陽子のラブの自転は電子のラブの自転と180度変化した。陽子のラブの集団の回転も電子のラブの軌道の回転方向と180度変わった。
【図面の簡単な説明】
【０００７】
【図１】図1は、ダークマターが原子の361倍に成った理由を示す。陽子のラブの集団が作った軌道に電子のラブは存在した。その軌道は、平面に敷かれていた。球体を360個の平面でできているとする。球体に走った陽子のラブは、360分の１の平面に存在していた電子のラブに会った。それで、原子はできた。原子に成ったのは、球体に走った陽子のラブの360分の1です。残りの360倍の電子のラブと陽子のラブは−273度の中で、自転だけするダークマターになっている。ビッグバンの以前の状態と同じように電子のラブと陽子のラブは自転だけしている。
【図２】図2は、陽子のラブの自転の方向は、電子のラブの自転の方向と180度変わった事を示す。電子のラブは自転だけしていた。その自転を縦下向き回転とする。そして、電子のラブの軌道を回転していた。電子のラブの軌道を横左回転とする。電子のラブが1834個集まった時、回転として表れているのは、軌道を回転していた横左回転でした。これが陽子のラブの自転になった。陽子のラブの自転は横左回転になった。陽子のラブの自転の方向は、電子のラブの自転の方向と90度変わった。そして更に、陽子のラブは陽子のラブの集団の中で回転した。この回転を横回転とする。それで、陽子のラブの自転は更に90度回転方向を変えた。これによって、陽子のラブの自転の方向は、電子のラブの自転の方向と180度変わった。陽子のラブの集団の横回転は横右回転した。
【図３】図3は、ブラックホールはどのようにできたかを示す。陽子のラブの集団に、1.0765×1079個の陽子のラブが存在した。陽子のラブの集団の中心は高エネルギー(高引力)に成り、収縮した。そして、爆発した。中心の痕に、収縮した陽子のラブが残った。中心の痕に残った収縮した陽子のラブはブラックホールになった。ブラックホールの陽子のラブの数は3.152×1070個です。陽子のラブの集団の数の、1.0765×1079個÷(3.152×1070個)＝3.415×108、3.415×108分の1です。陽子のラブの集団の数の3.415×108分の1の陽子のラブが宇宙の中心のブラックホールになりました。中心のブラックホールを作る全体の質量は、2.488×1019太陽質量で、2.981×1076個の原子です。この原子ができた時、ブラックホールもできあがりました。
【図４】図4は、原子はどのようにできたかを示す。ダークマターはどのような物であるかを示す。ビッグバンの以前の構造は、陽子のラブの集団の大きさは7.836×10−11mです。電子のラブの軌道は7.193×10−8mです。陽子のラブの集団が爆発し、陽子のラブは飛び散りました。すぐ近くに電子のラブは存在します。この場の陽子のラブの秒速はいくらか。陽子のラブの秒速＝陽子のラブの自転軌道×1秒間の自転数＝2.620×10−37m×7.96×107×(4.34×104)2＝3.928×10−20m。この場の陽子のラブの秒速は3.928×10−20mです。これは、引力が大きいためです。陽子のラブが電子のラブの軌道まで走ってゆくためには、何秒かかるか。7.193×10−8m÷(3.928×10−20m)＝1.831×1012(秒)  これは何年か。1.831×1012(秒)÷(365×24×60×60秒)＝1.831×1012(秒)÷(3.154×107秒)＝5.8×104年。陽子のラブが電子のラブの軌道まで走ってゆくためには5.8×104年かかります。全体の原子数である2.981×1076個の原子はできた。この全体の原子により、中心のブラックホールはできた。原子になれなかった電子のラブと陽子のラブは約1079個であり、これは、ビッグバンの以前に自転だけをしていた電子のラブと陽子のラブで、そのまま、−273度の中で、自転だけしているダークマターです。ダークマターとは、ビッグバンの時原子に成れず、ビッグバンの以前の状態のまま、自転だけをしている電子のラブと陽子のラブです。でも長い間−273度の中で自転していたので、エネルギーは小さくなっている。
【発明を実施するための形態】
【０００８】
１．電子のラブの公転軌道が陽子のラブの自転軌道に成った。
この事の計算。
電子のラブの公転軌道エネルギー＝電子のラブのエネルギー×公転軌道×3.14＝8.187×10−14J×1.058×10−10m×3.14＝2.72×10−23Jm。
陽子のラブの自転軌道エネルギー＝陽子のラブのエネルギー×自転軌道×1公転の自転数＝1.5×10−10J×4.18×10−18m×4.34×104自転＝2.7×10−23Jm。
よって、電子のラブの公転軌道エネルギーは陽子のラブの自転軌道エネルギーになっている。
２．星の中で元素ができる場合、核融合によって、中性子のラブができる。核融合ができる場より高エネルギーの場では、陽子のラブは存在できない。よって、元素は存在できない。核融合ができる場より高エネルギーの場では、中性子のラブより存在できない。核融合ができる場より高エネルギーの場では、中央に成る程、高エネルギー、高引力、高圧になり、中性子のラブはより多く集合し、中性子のラブの塊を作る。4個の塊、6個の塊、8個の塊、10個の塊、12個の塊、14個の塊、16個の塊、18個の塊、20個の塊、…100個の塊、…200個の塊を作る。
３．超新星爆発で、外に飛び出した時、中性子のラブの塊の内、半分の中性子のラブは崩壊し、陽子のラブと電子のラブになり、元素になる。
４．しかし、ビッグバンの以前、電子のラブと陽子のラブが生成するとき、電子のラブの塊は存在しない。2個の電子のラブの塊、4個の電子のラブの塊、…100個の電子のラブの塊、…1000個の電子のラブの塊、…1500個の電子のラブの塊は存在しない。必ず1834個の電子のラブの塊である陽子が存在する。
５．この事は、電子のラブができた場と陽子のラブができた場の間には、何も存在しなかった事を示す。
電子ができた場と陽子のラブができた場は、まるで地球と太陽のように成っていた。又は、小惑星と太陽のように成っていた。とにかく、中央には軌道を作る中心になる物が存在していた。エネルギーの場は2段階に分かれていた。1段階は電子のラブのエネルギーの軌道です。2段階は中心の陽子のラブのエネルギーの場です。
６．もし、電子のラブが地球のようにまとまっていたとしたら、中央の圧力は強くなり、爆発するかもしれません。また中央に成る程高エネルギーの場に成り、電子のラブがいくつも集まり、電子のラブの塊を作るかも知れません。そうすると、爆発したとき、複数個の電子のラブの塊でエネルギーの異なる素粒子ができるでしょう。しかし、複数個の電子のラブの塊でエネルギーの異なる素粒子は存在しません。
これらの事から、電子のラブは地球のようにまとまっていなかった。
７．電子のラブは地球のようにまとまっておらず、個々に存在していた。
８．つまり、陽子のラブが存在する軌道と電子のラブが存在する軌道は定められていた。
９．しかし、ここでまた問題提起されます。それは、ビッグバンの爆発はどうしておきたか、です。
ビッグバンは陽子のラブの集団の爆発によっておきた。
１０．それであるから、陽子のラブの集団は太陽のように中央にまとまって存在した。
１１．そして更に問題提起されます。ビッグバンの痕にできた宇宙の中心のブラックホールはどのようにできたか、です。
まるで、太陽が、太陽の親である第１世代の星が超新星爆発しその痕にできた中性子星を中心にできたように、ビッグバンの痕にできた宇宙の中心のブラックホールは、陽子のラブの集団が爆発した(ビッグバン)痕にできた。
１２．陽子のラブの集団の中心は高エネルギーで、収縮された状態になっていたので、ブラックホールに成りやすかった。または、すでにブラックホールはできていた。
2.631×1013太陽質量のブラックホールができた。2.631×1013太陽質量のブラックホールの陽子のラブの数は3.152×1070個です。
１３．2.631×1013太陽質量のブラックホールを作るためには、2.488×1019太陽質量が必要です。これが全体の質量です。全体質量の原子数は2.981×1076個です。
１４．陽子の集団が爆発したとき、陽子のラブは飛び散り、電子の軌道に存在していた電子のラブと衝突し、原子を作った。
原子は爆発した陽子のラブと電子のラブが衝突してできた。A=1.221×1013の場でできた。
１５．ビッグバンの以前の電子のラブのエネルギーが１Jの場合、ビッグバンの原子数は1.0765×1079個です。そして、ブラックホールを作った全体の質量の原子数は2.981×1076個です。
ビッグバンの以前の原子数は全体の原子数の361倍です。これがダークマターになった。
１６．ブラックホールはどのようにできたか。
陽子のラブの集団に、1.0765×1079個の陽子のラブが存在した。電子のラブの軌道にも1.0765×1079個の電子のラブが存在した。
この構造は、陽子のラブの集団の大きさは、7.836×10−11mです。電子のラブの軌道大きさは7.193×10−8mです。(これは電子のラブが球体の場合のサイズです。)
陽子のラブの集団の中心は高エネルギー(高引力)に成り、収縮した。そして、爆発した。中心の痕に、収縮した陽子のラブが残った。
中心の痕に残った収縮した陽子のラブはブラックホールになった。ブラックホールの陽子のラブの数は3.152×1070個です。
陽子のラブの集団の数の、1.0765×1079個÷(3.152×1070個)＝3.415×108、3.415×108分の1です。
陽子のラブの集団の数の3.415×108分の1の陽子のラブが宇宙の中心のブラックホールになりました。
中心のブラックホールを作る全体の質量は、2.488×1019太陽質量で、2.981×1076個の原子です。この原子ができた時、ブラックホールもできあがりました。
１７．原子はどのようにできたか。
ビッグバンの以前の構造は、陽子のラブの集団の大きさは7.836×10−11mです。電子のラブの軌道は7.193×10−8mです。
陽子のラブの集団が爆発し、陽子のラブは飛び散りました。すぐ近くに電子のラブは存在します。この場の陽子のラブの秒速はいくらか。
陽子のラブの秒速＝陽子のラブの自転軌道×1秒間の自転数＝2.620×10−37m×7.96×107×(4.34×104)2＝3.928×10−20m。
この場の陽子のラブの秒速は3.928×10−20mです。この理由はその場の引力が大きいからです。
陽子のラブが電子のラブの軌道まで走ってゆくためには、何秒かかるか。
7.193×10−8m÷(3.928×10−20m)＝1.831×1012(秒)  これは何年か。1.831×1012(秒)÷(365×24×60×60秒)＝1.831×1012(秒)÷(3.154×107秒)＝5.8×105年
陽子のラブが電子のラブの軌道まで走ってゆくためには5.8×105年かかる。
全体の質量である2.981×1076個の原子はできた。
１８．ダークマターはどのようにできたか。
私は、特願2007−133476で、「ダークマターは、−273℃の場に存在し、公転できず、自転だけしている電子のラブと陽子のラブです」と記した。
初め、電子のラブと陽子のラブの数は、1.0765×1079個でした。陽子のラブの集団の数、1.0765×1079個のうち、中心の3.152×1070個は収縮し、宇宙の中心のブラックホールになりました。
そして、その外側の陽子のラブは爆発し、電子のラブの軌道にたどり着き、原子を作りました。できた全体の原子の数は、2.981×1076個です。この全体の原子の数が宇宙の中心にブラックホールを作りました。
原子になれなかった、電子のラブと陽子のラブは、−273℃の場に存在し、公転できず、自転だけしている電子のラブと陽子のラブです。
その数は、1.0765×1079個÷(2.981×1076)＝361(倍)、です。
ダークマターは、原子になれなかった、自転している電子のラブと自転している陽子のラブで、原子として存在しているものの361倍です。
１９．どうしてダークマターは原子として存在しているものの361倍に成ったか。
電子のラブの軌道はまるで、太陽が作る惑星の軌道のように平面上に存在していた。それで、電子のラブの存在する軌道も平面上に存在していた。即ち、球体が360の平面でできているとすると、360分の1の空間に存在していた。それで、陽子のラブが走ってきた時、陽子のラブが電子のラブと出会う確率は360分の1になる。そのため、原子ができる確率も360分の1になる。
この事は、電子のラブは、陽子のラブの集団が作る軌道上に存在し、その軌道は平面上であった事を示す。
２０．電子のラブの回転と陽子のラブの回転が逆であるのはなぜか。
電子のラブは自転だけしていた。その自転を縦下回転とする。そして、電子のラブの軌道を回転していた。電子のラブの軌道を横左回転とする。電子のラブが1834個集まった時、回転として表れているのは、軌道を回転していた横左回転でした。これが陽子の自転になった。陽子のラブの自転は横左回転になった。陽子のラブの自転の方向は、電子のラブの自転の方向と90度変わった。そして更に、陽子のラブは陽子のラブの集団の中で回転した。この回転を横回転とする。それで、陽子のラブの自転は更に90度回転方向を変えた。この事によって、陽子のラブの自転の方向は、電子のラブの自転の方向と180度変わった。陽子のラブの集団の中で横回転は横右回転になった。
参考のため、特願2011−139785に記した表を示す。
ビッグバンをおこした、放出した電磁気は、1.657×10-18Jであり、その電磁気の状態は次のような経過をへてビッグバンを起こした。
表1
2013187957.tif 000003
2013187957.tif 000004
参考のため、特願2011−130790に記した表を示す
表2
2013187957.tif 000005
【産業上の利用可能性】
【０００９】
電子のラブと陽子のラブの生成を理解する事は、科学の発展に寄与し、宇宙の生成を理解する事となる。
【符号の説明】
【００１０】
１．陽子のラブの集団
２．電子のラブの軌道は平面
３．球体は360個の平面でできているとする。
４．陽子のラブは球状に走る。
５．平面上に存在する電子のラブ
６．平面上に存在する電子のラブに会えるのは、陽子のラブの1/365です。
７．電子のラブ
８．電子のラブの自転方向は縦下方向
９．電子のラブの軌道の回転は横左回転
１０．陽子のラブ
１１．陽子のラブの自転は横左回転になり、90度変化する。これが陽子のラブの自転になる。
１２．陽子のラブの集団の回転は横回転
１３．陽子のラブは陽子のラブの集団の回転に合わせて回転するので、陽子のラブの自転は90度変化し、縦上回転になる。合計で180度回転する。
１４．陽子のラブの集団の回転は横右回転になる。
１５．陽子のラブの集団の原子は1.0765×1079個。
１６．陽子のラブの集団の中心は収縮した。
１７．陽子のラブの集団は爆発した。
１８．痕にブラックホールが残った。
１９．陽子のラブの集団の大きさは7.836×10−11mです。
２０．電子のラブの軌道は7.193×10−8mです。
２１．3×1076個の原子ができた。
２２．中心に原子数3×1070個のブラックホールができた。
２３．ビッグバンの以前と同じように自転だけする電子のラブと陽子のラブである約1079個のダークマター
【図１】
2013187957.tif 000006
【図２】
2013187957.tif 000007
【図３】
2013187957.tif 000008
【図４】
2013187957.tif 000009